(57)【特許請求の範囲】
【請求項１】
芯案内内筒と芯案内外筒とから成る芯案内筒内に昇降自在の燃芯を備え、更に芯案内筒上端の火皿部上には燃焼筒を載置し、前記燃芯上端には、最上昇の点火位置で火皿部より下方となるように凹部を形成し、放電電極と対極板との間に放電を行うことにより燃芯を着火する石油燃焼器具の放電式点火装置に於いて、前記凹部には対極板上部の対極部が凹部内に向かうように設けられ、前記凹部と対向する芯案内内筒或いは芯案内外筒に設けた窓部を介して、放電電極が凹部に対向して位置すると共に、前記放電電極と対極板の対極部とが凹部の燃芯上で接近して設けられたことを特徴とする石油燃焼器具の放電式点火装置。
【請求項２】
上記対極板は、一端を芯止バンドに固定され、その上部には燃芯外周方向から凹部内に向かうように屈曲した対極部が形成されていることを特徴とする請求項１記載の石油燃焼器具の放電式点火装置。
【発明の詳細な説明】
【０００１】
【発明の属する技術分野】
この発明は、石油ストーブに使用される電子点火と言われる放電式点火装置に関するものである。
【０００２】
【従来の技術】
従来よりこの種のものに於いては、例えば特許番号第２９４７３１５号公報に開示されている如く、放電電極とこの放電電極の対極となる対極板とを、最上昇位置の燃芯上端に備えることで、放電点火を可能とするものであった。
【０００３】
【発明が解決しようとする課題】
ところでこの従来のものでは、放電電極と対極板とが共に、芯案内筒の火皿部上で燃焼筒内で燃芯上端に接近して備えられ、しかも対極板は火皿部に下端が固定され上方に立設した形で備えられているので、放電が燃焼筒との間で行われ点火不良を招いたり、燃芯を下げて火力を絞った状態では、放電電極及び対極板が共に強力な火炎に晒されることとなり、短期間で焼損したり放電不良を引き起こすと言う問題点を有するものであった。
【０００４】
【問題点を解決するための手段】
この発明は、この点に着目し上記欠点を解決する為、特にその構成を、請求項１では、芯案内内筒と芯案内外筒とから成る芯案内筒内に昇降自在の燃芯を備え、更に芯案内筒上端の火皿部上には燃焼筒を載置し、前記燃芯上端には、最上昇の点火位置で火皿部より下方となるように凹部を形成し、放電電極と対極板との間に放電を行うことにより燃芯を着火する石油燃焼器具の放電式点火装置に於いて、前記凹部には対極板上部の対極部が凹部内に向かうように設けられ、前記凹部と対向する芯案内内筒或いは芯案内外筒に設けた窓部を介して、放電電極が凹部に対向して位置すると共に、前記放電電極と対極板の対極部とが凹部の燃芯上で接近して設けられたものである。
又請求項２では、請求項１において、対極板は、一端を芯止バンドに固定され、その上部には燃芯外周方向から凹部内に向かうように屈曲した対極部が形成されているものである。
【０００５】
【発明の実施の形態】
芯案内内筒２と芯案内外筒３から成る芯案内筒１内に昇降自在の燃芯４を備え、更にこの燃芯４上端で、点火位置の最上昇位置で火皿部５より下方となる位置まで凹部１０を形成し、この凹部１０に放電点火の対極となる対極板１２上部の対極部１５が凹部１０内に向かうように設けられ、更に凹部１０と対向する芯案内外筒３には窓部１６を形成し、該窓部１６を介して、放電電極１９が凹部１０に対向して位置すると共に、前記放電電極１９と対極板１２の対極部１５とが凹部１０の燃芯４上で接近して設けられたものである。
【０００６】
従って、放電点火用の放電電極１９と対極板１２とは火皿部５より下方に位置し、常に燃焼部外であるから、点火不良を招いたり強力な火炎に晒されて短期間に焼損したり、放電不能となることがなく、長期に渡って良好な点火が得られるものである。
【０００７】
【実施例】
次にこの発明に係る石油燃焼器具の放電式点火装置を図面に示された一実施例で説明する。
１は芯案内内筒２と芯案内外筒３から構成された芯案内筒で、内方には昇降自在の燃芯４を備え、更に上端の火皿部５には内筒６及び中筒７及び外筒８から成る複筒式の燃焼筒９の内筒６及び中筒７が載置されている。
【０００８】
１０は燃芯４上端に形成された凹部で、燃芯４の点火位置である最上昇位置でも火皿部５より低い位置となるように形成されており、この凹部１０には芯止バンド１１に一端を固定した対極板１２の先端部が芯案内外筒３側から位置している。
【０００９】
前記対極板１２は、燃芯４外周に沿って全体にＲ状に形成され、下部には芯止バンド１１に固定する為の引掛け片１３と折り曲げ片１４とを有し、上部には燃芯４外周方向から凹部１０内に向かうように屈曲した対極部１５が形成されている。
【００１０】
１６は燃芯４の点火位置である最上昇位置で、凹部１０と対向する芯案内外筒３に形成された開口から成る窓部で、この窓部１６を介して碍子部分１７が固定金具１８で固定された放電電極１９が凹部１０に対向して位置され、対極板１２の対極部１５とは凹部１０の燃芯４上で接近している。
【００１１】
２０は芯案内外筒３の火皿部５外周に備えられたフランジ部で、燃焼筒９の外筒８下端との間には空気流通用の隙間を形成している。
【００１２】
次にこの発明一実施例の作動について説明する。
今燃芯４を上昇させ点火位置である最上昇位置まで上昇させれば、凹部１０は放電電極１９が突出している窓部１６に対極板１２と共に位置することになる。
【００１３】
そしてここで点火スイッチ（図示せず）を押圧して放電電極１９に一定時間通電するようにすれば、該放電電極１９から対極板１２の対極部１５に向かって放電が行われ、この放電で凹部１０上端の燃芯４部分に火が付き、これが燃芯４上端全周に周り、点火が行われるものであり、又燃芯４上端が火皿部５上の範囲では自由に火力の調節が行えるものである。
【００１４】
従って、点火部分が火皿部５より下方の芯案内筒１内であるので、燃焼筒９に誤って放電して点火不良を招く心配がなく、又常に強力な燃焼火炎中に放電電極１９及び対極板１２が晒されることがなく、長期間の使用でも焼損したり放電不良を引き起こすことがなく、常に確実で良好な点火を得ることが出来るものである。
【００１５】
更に対極板１２は芯止バンド１１に固定されているので、固定が強固であり燃芯４に付いての移動が確実に行われ位置ずれすることなく、放電間隔を確実に保持することが出来るものである。
【００１６】
尚この実施例では、芯案内外筒３に窓部１６を形成したが、芯案内内筒２側に形成しても良く、この時は対極板１２は燃芯４の内周側に取り付けられることになる。
【００１７】
【発明の効果】
以上のようにこの発明によれば、請求項１に於いて、点火部分が火皿部より下方の芯案内筒内であり、放電電極と対極板の対極部とが凹部の燃芯上で接近して設けられるので、放電で凹部上端の燃芯部分に火が付き、それにより燃焼筒に誤って放電して点火不良を招く心配がなく、又常に強力な燃焼火炎中に放電電極及び対極板が晒されることがなく、長期間の使用でも焼損したり放電不良を引き起こすことがなく、常に確実で良好な放電点火が行われるものである。
【００１８】
更に請求項２に於いて、対極板は芯止バンドに固定されているので、固定が強固であり燃芯に付いての移動が確実に行われ位置ずれの心配もなく、常に良好な放電間隔を確実に保持することが出来るものである。
【図面の簡単な説明】
【図１】この発明一実施例を付した石油燃焼装置の要部断面図。
【図２】同要部の水平断面図。
【図３】同要部の正面図。
【図４】同燃芯の斜視図。
【図５】同対極板の正面図。
【符号の説明】
１  芯案内筒
２  芯案内内筒
３  芯案内外筒
４  燃芯
５  火皿部
９  燃焼筒
１０  凹部
１２  対極板
１６  窓部
１９  放電電極
【図１】
0003872634.tif 000002
【図２】
0003872634.tif 000003
【図３】
0003872634.tif 000004
【図４】
0003872634.tif 000005
【図５】
0003872634.tif 000006